(57)【特許請求の範囲】
【請求項１】
建築用外装材の目地間隔に介在させる乾式外装目地材であって、前記外装材の隣位する側端面間に形成された目地間隔内に嵌挿する断面略変形レール型の目地部材の構成からなり、該目地部材の上部には上方開翼状であって、シリコ−ンゴム、ＥＰＤＭ、クロロプレンゴムから選ばれた一種又は二種以上の表面材からなる目地表出部と、下部には延設して下方開翼状で、かつ側端面に当接させ接着並びに空隙を閉塞し得る粘着材層を有し、下端部を該目地間隔内の側端面に当接可能で、その変位に伴う弾力追従性と反発力及び一部応力緩和性とが同時に生じ、該粘着材層により当接閉塞状態が形成され、止水機能を発揮する弾接追従部と、該目地部材の底部側には発泡体からなり、前記弾接追従部の側端面に接する箇所では嵌挿時に最大圧力を受けて両下端縁部では変形が付与され、該目地部材の反発弾性による復元力によって少許復元し、その復元速度のタイムラッグを利用して該目地部材の嵌挿或いは挿着操作を行なうことが可能であるバックアップ材とから構成されていることを特徴とする乾式外装目地材構造。
【請求項２】
前記弾接追従部に設けた粘着材層がゴム系或いはゴム系及び／又はアスファルト系の接着剤である請求項１記載の乾式外装目地材構造。
【請求項３】
前記発泡体がＥＰＤＭからなり、かつ発泡倍率４〜１２倍、独立気泡対連続気泡の比率が６／４〜２／８である請求項１又は２記載の乾式外装目地材構造。
【発明の詳細な説明】
【０００１】
【産業上の利用分野】
本発明は乾式外装目地材構造に関し、簡易、確実に付与され、かつ止水性が発揮されると共に、目地部の空隙への充填並びに仕上がり化粧性、さらに幅方向に押し潰し嵌挿可能な作業性を備えた乾式外装目地材構造に関する。
【０００２】
【従来の技術】
従来から、隣合う外装用のパネル材間を充填する目地は、現場での左官作業による施工でなく、予めパネル材間に配設可能に成形された目地材を装着し、これにより雨水の居住空間への進入などを防止することが行われており、例えば、この種の構造として、昭５０−１５６２２５号公報には、Ｕ字型の弾性体パッキンをミシンがけして圧縮し、これを目地部に挿入した後、ミシン糸を除去して膨張復元させる防水用目地ガスケットが開示されている。
【０００３】
また、特開平３−１３２５３８号公報、或いは特開平３−２９５９４８号公報には、中空ガスケットを真空引きしておき、目地部に挿入してから真空を解除して膨張復元させる建築部材接合部の目地防水工法が開示されている。さらに、特開平６−２２０９２８号公報、或いは特開平６−３０６９６３号公報には、前もってブチルゴムを介して水切り片をパネルの両木口に貼っておき、中空ガスケットを挿入する外壁目地部の防水構造、また、特開平９−３２１３４号公報には、外装材の目地間隔に断面略Ｔ字型の目地部材の挿着により防水性能が発揮されると共に、雨水の侵入が阻止される外装目地構造が記載されている。
【０００４】
【発明が解決しようとする課題】
しかしながら、従来、止水の目的でパネル目地に充填する工法では、周囲をマスキングし、次にパネルやコ−キングの材質を勘案してプライマ−を選択し塗布する。次いで、コ−キングを打設するがコ−キングが硬化する迄に数日を要し、専門家でないと施工できない。
【０００５】
また、例えば、上記特開昭５０−１５６２２５号公報では、ミシン糸を引っ張ってほぐすとき挿入位置がずれて所定の部位に収まり難く、パネル木口の不陸や凹凸に追従し難く止水性に欠ける。さらに、特開平３−１３２５３８号公報等では、わずかなピンホ−ルがあっても真空状態にならないし、長時間経つと空気が入って膨張してしまうので保存ができない。また、薄肉のチュ−ブは一般的に耐久性に乏しい欠点がある。上記特開平６−２２０９２８号公報等では、前工程に手間がかかるのが難点である。次に、上記特開平９−３２１３４号公報等でのＴ型嵌合目地材、或いはガスケットでは、構造が複雑で高価にならざるを得ず、建て込みの誤差による目地幅の狂いを吸収できず、止水性も十分とはいえないなどの欠点があった。さらに、従来の方法による場合、枠材の組付誤差等によって、ガスケットの位置関係にずれが生じるか、或いは目地幅が広くなった場合にはガスケット同士の圧接状態が区々となり、適切な圧接状態が得られない場合が生じ易い難点がある。このためシ−ル圧が低下して雨水等が浸入する虞れがあり、また、ガスケット同士の圧接状態にバラツキが生ずると目地の表面外観が低下するという問題点があった。
【０００６】
【課題を解決するための手段】
本発明は、上記のような問題点を解決するためになされたものであり、本発明の請求項１記載の乾式外装目地材構造は、建築用外装材の目地間隔に介在させる乾式外装目地材であって、該外装材の隣位する側端面間に形成された目地間隔内に嵌挿する断面略変形レール型の目地部材の構成からなり、該目地部材の上部には上方開翼状であって、シリコ−ンゴム、ＥＰＤＭ、クロロプレンゴムから選ばれた一種又は二種以上の表面材からなる目地表出部と、下部には延設して下方開翼状で、かつ側端面に当接させ接着並びに空隙を閉塞し得る粘着材層を有し、下端部を該目地間隔内の側端面に当接可能で、その変位に伴う弾力追従性と反発力及び一部応力緩和性とが同時に生じ、該粘着材層により当接閉塞状態が形成され、前記弾接追従部の側端面に接する箇所では嵌挿時に最大圧力を受けて両端縁部では変形が付与され、該目地部材の反発弾性による復元力によって少許復元し、その復元速度のタイムラッグを利用して該目地部材の嵌挿或いは挿着操作を行なうことが可能であるバックアップ材とより構成されてなるものである。従って、本発明での外装材の目地間隔に介在させる目地材は、目地間隔内に嵌挿される断面略変形レ−ル型の目地部材であって、上部には目地表出部及び下部には下方開翼状で、かつ該外装材の隣位する側端面に当接させ接着並びに空隙を閉塞し得る粘着材層を設け、下端部を側端面に当接可能で、その変位に伴う弾力追従性と反発力及び一部応力緩和性とが同時に生じ、しかも該粘着材層による接着は外装材の特にパネル木口、さらには側端面の比較的広い領域にわたってなされる為、二重のパッキン作用による確実な当接閉塞状態が形成され、固定強度を高めることができ、止水性能が発揮される。
【０００７】
さらには、目地部材は簡易に付与され、専門家でなくても施工は容易で、施工時の圧着不良、不均一なコ−キング等による漏水等を防止し、仕上がりも良好であり、隣位する外装材のパネル間のシ−ル部材として十分な止水効果が得られ、永続的な止水性を長期にわたり提供できる。
【０００８】
また、作業性についても、横幅方向に押し潰して嵌挿、或いは挿着が行われ、しかも該目地部材の下部に形成された発泡体からなるバックアップ材は、適度の復元性を得る為、好適にはＥＰＤＭ発泡体であって、かつ発泡倍率４〜１２倍、好ましくは６〜１０倍、さらに独立気泡が多いと押し潰し難く、連続気泡が多いと復元力が小さいが、独立気泡と連続気泡の比率を６：４〜２：８、好ましくは５：５〜３：７、また、耐久性にに優れると共に復元力に永続性のある該ＥＰＤＭ発泡体で、ＪＩＳ  Ｋ−６４０１による圧縮残留歪率が５０％以下で小さく抑制すること等のこれら組み合わせによる相乗効果により、本発明での発泡体バックアップ材は、適度の復元速度の如き多機能性を備えた構成とすることができる。この為、その緩やかな復元速度のタイムラッグを利用して該目地部材の嵌挿或いは挿着操作を行うことが可能であり、専門家でなくても施工でき、優れた施工性を有する。更にパネル底部にあるハット型ジョイナ−の凸部が左右に偏っていても、自由に変形して空隙を充填でき、目地間隔内での施工性の不都合が確実に解消される。
【０００９】
本発明での断面略変形レ−ル型の目地部材において、その上部に上方開翼状の表面材からなる目地表出部が形成されている。該表面材は、シリコ−ンゴム系、ＥＰＤＭ、クロロプレン等の耐候性、柔軟性に優れたものが好適であり、さらに該目地部材は、横幅方向に押し潰して嵌挿、或いは挿着し易い構成とするため、たとえばＪＩＳ硬度３０〜７０の範囲が好適に用いられる。また、表面材からなる目地表出部は、目地の外観を構成するため、必要により該目地表出部の表層に模様層を付与することができ、この目地部材により外装材の意匠と目地部の意匠が調和された装飾性の高い壁面を形成できると共に、耐久性並びに多様な意匠面を持った目地材とし、この壁面を安定して維持できる。
【００１０】
また、本発明の目地部材は、目地間隔内に嵌挿される断面略変形レ−ル型であって、上部には目地表出部及び下部には下方開翼状で、かつ該外装材の隣位する側端面に当接させ接着並びに空隙を閉塞し得る粘着材層を設け、下端部を側端面に当接可能とした構成である。該目地部材のうち、粘着材層を設けた弾接追従部では、横幅方向に押し潰して嵌挿、或いは挿着が行い易くする為、たとえば上記のごとき硬度と併せ、反発弾性、すなわちその変位に伴う弾力追従性と反発力と併せ、同時に一部応力緩和部材としての機能を奏し、しかも該粘着材層による接着は外装材の特にパネル木口、さらには側端面の比較的広い領域にわたってなされるため、二重のパッキン作用による確実な当接閉塞状態が形成され、固定強度を高めることができ、止水性能が発揮される。
【００１１】
例えば、請求項１記載の発明において、該目地部材が側端面に当接する反発弾性部材としての機能と併せ、一部応力緩和部材の両機能が複合一体化された構成として、該目地部材の両側に延設して位置する弾接追従部の下端縁部近傍の先細状の両横幅の層厚の総和は、少なくとも該目地間隔での弾接追従部が側端面に接する接触垂直長さを超えず、前記総和は該垂直長さ以下であることが好ましい。このように該目地部材で反発弾性力は部材自体に蓄えられるが、該部材の両側に配列した弾接追従部の両下端縁部では一部応力緩和力を備え、両機能が複合一体化された構成として、確実な止水性が達成される。また、該目地部材自体の大きさ、或いは弾接追従部の層厚等との関係もあるが、弾性反発力は、防水性と施工性との均衡上からも、該目地部材を３分の１に圧縮時で、２〜８ｋｇであることが望ましい。
【００１２】
また、上記反発弾性と一部応力緩和性との両機能の複合一体化された構成において、該目地部材の底部に装着した発泡体からなるバックアップ材が多機能性を発揮する。すなわち、該バックアップ材が目地部材の底部に装着されるとき、前記目地部材の弾接追従部の側端面に接する箇所では嵌挿時に最大圧力を受けて両下端縁部では変形が付与されるが、該目地部材の反発弾性による復元力によって少許復元し、この反発弾性で復元する過程で一部応力平衡状態を保ち、更に反発弾性と一部応力緩和性との間に永続的な応力平衡状態を保持する構成において、前記発泡体バックアップ材の多機能性が恒久的に作用する。
【００１３】
本発明において、目地部材の底部側には、発泡体からなり、前記弾接追従部の側端面に接する箇所では嵌挿時に最大圧力を受けて両下端縁部では変形が付与され、該目地部材の反発弾性による復元力によって少許復元し、その復元速度のタイムラッグを利用して該目地部材の嵌挿或いは挿着操作を行なうことが可能である多機能を備えた発泡体からなるバックアップ材が形成されていることを特徴とする。本発明では、弾性を有する発泡ゴムである必要があるが、合成ゴム若しくは天然ゴムのいずれでもよい。上記発泡体は、耐久性に優れ、たとえばポリウレタン或いはポリエチレン等と違い復元力に永続性がある半連泡の発泡ＥＰＤＭ或いはシリコンゴム等が用いられるが、発泡ＥＰＤＭが弾性接触ならびに変形追随性の面で好適である。
【００１４】
上記発泡体からなるバックアップ材は、施工するとき容易に潰すことができ、ゆっくり復元するので、その間に所定の位置に挿入することができる。さらに、適当な復元性を得る為、発泡倍率は４〜１２倍、好ましくは６〜１０倍である。また、該バックアップ材は、適度の復元速度を有し、圧縮残留歪率が５０％以下であることが好ましい。このように、施工作業の面でも目地部材を目地間隔内にスム−ズに嵌挿し装着係止することができ、充填し易い。
【００１５】
さらに、本発明において、該バックアップ材は、独立気泡と連続気泡の比率が６：４〜２：８であることが適当であり、好ましくは、５：５〜３：７である。すなわち独立気泡が多いと押し潰し難いし、一方、連続気泡が多いと復元力が小であり、復元力は大きいほど粘着ゴムはパネル木口に確実に押し付けられ、完全かつ確実な止水性が確保される。
【００１６】
また、本発明の外装目地材構造では、パネル間への装着を容易にし、側端面に当接可能でシ−ル性確保のため、粘着ゴムからなる粘着材層が層着されている。前記目地部材の下部には延設して下方開翼状で、かつ当接閉塞し得る粘着材層を設けた弾接追従部が形成された構成であるが、該粘着材層で用いる粘着ゴムは、ゴム系又はゴム／アスファルト系或いはシリコン系ゴム等が適当であるが、特にブチルゴム系より選ばれた特に耐久性並びに接着性に優れたものが適当である。
【００１７】
本発明は、上記のような問題点を解決するためになされたものであり、本発明の請求項１記載の外装目地材構造は、建築用外装材の目地間隔に介在させる乾式外装目地材であって、前記外装材の隣位する側端面間に形成された目地間隔内に嵌挿する断面略変形レール型の目地部材の構成からなり、該目地部材の上部には上方開翼状であって、シリコ−ンゴム、ＥＰＤＭ、クロロプレンゴムから選ばれた一種又は二種以上の表面材からなる目地表出部と、下部には延設して下方開翼状で、かつ側端面に当接させ接着並びに空隙を閉塞し得る粘着材層を有し、下端部を該目地間隔内の側端面に当接可能で、その変位に伴う弾力追従性と反発力及び一部応力緩和性とが同時に生じ、該粘着材層により当接閉塞状態が形成され、止水機能を発揮する弾接追従部と、さらに該目地部材の底部側には発泡体からなり、前記弾接追従部の側端面に接する箇所では嵌挿時に最大圧力を受けて両下端縁部では変形が付与され、該目地部材の反発弾性による復元力によって少許復元し、その復元速度のタイムラッグを利用して該目地部材の嵌挿或いは挿着操作を行なうことが可能であるバックアップ材が形成されてなるものである。
【００１８】
【発明の実施の形態】
以下、本発明の実施の形態について、実施例を挙げて具体的に説明する。本発明の一実施例につき、図面に基づいて説明する。図１は、本発明の一実施形態を示し、目地部材を目地間隔内に嵌挿し装着係止した状態を示す断面説明模式図、図２は本発明の目地部材の一実施例を示す断面説明模式図である。図１において、該実施形態の外装目地材構造では、外装材１の対向する側端面４に目地間隔２が形成され、該目地間隔２内に断面略変形レ−ル型の目地部材３を嵌挿し装着係止した構成となっている。実施形態の目地部材３では、該目地部材３の下部に延設して下方開翼状で、かつ側端面４に当接可能でシ−ル性確保の為の粘着材層６を設けた弾接追従部７が、内側に押圧されて側端面４と直角方向への変位の弾力追従性と反発力とが同時に生じ、該弾接追従部７では、その下端縁部９は内側に偏曲移行した状態で側端面４に当接され、しかも前記粘着材層６は、図２で示すごとき層着された剥離紙１１を剥がして接着固定されるため、閉塞シ−ル性を発揮し得る構成となっている。さらに、該目地部材３の底部側には、発泡体からなり、前記側端面に接する箇所では嵌挿時に最大圧力を受けて両下端縁部では変形が付与され、該目地部材の反発弾性による復元力によって少許復元し、その復元速度のタイムラッグを利用して該目地部材の嵌挿或いは挿着操作を行なうことが可能であるバックアップ材が装着された構造となっている。１０は目地受け部材である。
【００１９】
図２は、上記のとおり本発明に係る目地部材の一実施形態としの具体的構成を示すものである。該実施形態の外装目地材構造では、外装材１の隣位する側端面４間に形成された目地間隔２の内側に、断面略変形レ−ル型の目地部材３、並びにその下部には延設して下方開翼状で、かつ側端面４に当接可能でシ−ル性確保の為の粘着材層６を設けた弾接追従部７が垂設されている。該弾接追従部７は下端縁部９で内側に押圧され、側端面４と直角方向への変位の弾力追従性と反発力とが同時に生じ、目地部材３の下部に延設して下方開翼状の弾接追従部７は、非当接状態では少許下方に開翼状の形態となっている。該弾接追従部７の側端面４に接する外側面には、剥離紙１１を設けた粘着材層６が形成されている。さらに、該目地部材４の底部側には、発泡体からなるバックアップ材８が形成された構造となっている。
【００２０】
図３は、本発明に係る目地部材の別実施例を示すものであり、目地間隔２の比較的狭い箇所に、目地部材３を嵌挿し装着係止された構成となっている。従って、外装材１の対向する側端面４によって形成された比較的狭い目地間隔２で、例えば横幅間隔１５ｍｍ以下、８〜１２ｍｍのごとき目地間隔２が広くない施工箇所の場合でも該目地部材３を嵌挿し装着係止の為の施工が可能である。
【００２１】
該目地部材３は、目地表出部５並びに弾接追従部７と共に、目地間隔２の相対峙する側端面４に挟圧されて圧縮状態として少許変形して、目地間隔２の内側に嵌挿された形態となっている。このように、目地間隔２の内側に嵌挿され圧縮状態で挿着係止されても、なお断面略変形レ−ル型の基本的な構成を維持でき、かつ同様に当接閉塞し止水機能を発揮し得る粘着材層６が設けられており、さらにその変形に伴う弾力追従性と反発力ならびに一部応力緩和性とが同時に生じ、しかも前記粘着材層６による接着は外装材１の特にパネル木口、さらには側端面の比較的広い領域にわたってなされるため、二重のパッキン作用による確実な当接閉塞状態が形成され、固定強度を高め、優れた止水性能が達成される。
【００２２】
なお、該目地部材３の底部側に装着した発泡体からなるバックアップ材８
は、同様に施工するとき容易に潰すことができ、適度の復元速度を有し、またその速度もスロ−である為、その間に所定の位置に挿入することが可能である。この為比較的目地間隔２の狭い施工箇所でも該目地部材３を目地間隔２内にスム−ズに嵌挿可能で、充填し易く、従って、このような比較的狭い目地間隔２に嵌挿し装着係止する構成としても適当である。
【００２３】
以上のように本発明の一実施例を示したが、本発明は上記実施例に限定されるものではなく、本発明の要旨を逸脱しない変更等は、本発明の範囲に含まれる。
【００２４】
【発明の効果】
本発明は上記のような構成からなり、以下の効果を奏する。本発明の乾式外装目地材構造によれば、目地部材はパネル木口に配設し接着施工されるため完全かつ確実な止水効果を奏し、従来建て込みの誤差による目地幅の狂いを吸収できない等の欠点を改善できる。また、専門家でなくても施工は容易で、嵌挿をより確実なものとし、外観上もきれいな仕上がりが得られる。さらに、施工作業性でも、目地部材を横幅方向に押し潰して嵌挿し装着係止が可能であり、かつ発泡体バックアップ材は圧縮残留歪からも適度の復元速度を有する為、該目地部材の嵌挿作業は、その復元力の永続性を利用し所定の位置に容易、簡便に挿入が可能である。本発明の目地材構造は、構成簡素、施工性が簡便で、従来のＴ型嵌合目地材及びガスケットではコ−キング迄日数を要し、構造が複雑、高価になるのに比し、製造及び施工コストの低減を図り得る。
【図面の簡単な説明】
【図１】本発明の目地部材を装着係止した一実施例を示す断面説明模式図である。
【図２】本発明の目地部材の一実施例を示す断面説明模式図である。
【図３】本発明の目地部材を装着係止した別実施例を示す断面説明模式図である。
【符号の説明】
１  外装材
２  目地間隔
３  目地部材
４  側端面
５  目地表出部
６  粘着材層
７  弾接追従部
８  バックアップ材
９  下端縁部
１０  目地受け部材
１１  剥離紙
【図１】
0003688110.tif 000002
【図２】
0003688110.tif 000003
【図３】
0003688110.tif 000004